(57)【要約】      （修正有）【課題】開口の開き扉が付いた貯蔵室を備えたショーケース等の搬送時における、前記開き扉の固定を簡易に行えるとともに低価格で製作できる扉用固定部材を提供する。【解決手段】扉用固定金具２０は、閉鎖時の開き扉４に直接または間接に接して開き扉４の自重を支持する扉支持部２１と、扉支持部２１が下部側に固定される中間部２３と、中間部２３の上部側に固定される機器側支持部２２とで形成されており、機器側支持部２２は開き扉が取付く機器本体２の一部面１０に直接または間接に接し、中間部２３を介して開き扉４の自重を支持する。【選択図】図３
2010100318.tif 000002
【特許請求の範囲】
【請求項１】
開き扉を備えた機器の搬送時における前記開き扉の垂れ下りを防止する扉用固定部材であって、
前記扉用固定部材は、
閉鎖時の前記開き扉に直接または間接に接して開き扉の自重を支持する扉支持部と、
前記扉支持部が下部側に固定される中間部と、
前記中間部の上部側に固定される機器側支持部とで形成されており、
前記機器側支持部は、開き扉が取付く機器本体の一部面に直接または間接に接し、前記中間部を介して開き扉の自重を支持することを特徴とする扉用固定部材。
【請求項２】
前記扉支持部と前記機器側支持部はそれぞれ一対備えていることを特徴とする請求項１に記載の扉用固定部材。
【請求項３】
前記扉支持部、前記中間部、前記機器側支持部は、それぞれ一対備えているとともに、前記一対の中間部の一端側同士が結合して断面Ｌ字形状で形成されていることを特徴とする請求項１に記載の扉用固定部材。
【請求項４】
前記一対の中間部は、前記一対の中間部の一端側同士が結合した結合部を中心として折畳み可能であることを特徴とする請求項３に記載の扉用固定部材。
【請求項５】
前記一対備えている扉支持部のそれぞれの支持面は同じ高さであり、および／または、前記一対備えている機器側支持部のそれぞれの支持面は同じ高さであることを特徴とする請求項２から請求項４のいずれか１項に記載の扉用固定部材。
【請求項６】
前記中間部には、前記開き扉に設けられた取手との干渉を防止するための切欠きまたは穴が設けられていることを特徴とする請求項１から請求項５のいずれか１項に記載の扉用固定部材。
【請求項７】
前記扉用固定部材は硬質紙で形成されていることを特徴とする請求項１から請求項６のいずれか１項に記載の扉用固定部材。 
【発明の詳細な説明】
【技術分野】
【０００１】
本発明は、上部に前面開口で開き扉が付いた貯蔵室を備え、下部に上面開口で引戸が付いた貯蔵室を備えた上下二段のショーケース等の搬送時に使用される開き扉用の固定部材に関するものである。
【背景技術】
【０００２】
従来、前面開口で開き扉が付いた貯蔵室を備えたショーケースの搬送時においては、開き扉の戸先が搬送時の衝撃や振動などで垂れ下がらないように、開き扉の取手を支持する板部材を水平に配設し、次にこの板部材の両端部を支持するためにショーケースを囲むフレームを木枠で組んで、該フレームに前記板部材を固定して対応していた。また、最も簡易な方法としては、開き扉の下端と、開き扉の下端の直下に位置する下枠もしくは他の部分との間に詰め物などをして開き扉の戸先の垂れ下りを防止していた。
【０００３】
【特許文献１】特開平９−１５０８６０
【発明の開示】
【発明が解決しようとする課題】
【０００４】
しかしながら、このような従来の対応では、ショーケースを囲むフレームを組み、さらに、前記フレームに開き扉を支持する板材を水平に前記フレームに取り付けならなければならないことから、その組立に要する時間と材料費がかかるという問題が生じていた。特に大型のショーケースなどの場合には一人でフレームを組み、板部材をフレームに固定することは困難であった。
また、上部に前面開口で開き扉が付いた貯蔵室を備え、下部に上面開口で引戸が付いた貯蔵室を備えた上下二段のショーケースなどのように、必ずしも開き扉の下端の直下に下枠が配設されていなかったり、もしくは、開き扉の下端の直下にはガラス引戸が配設されていて詰め物をして固定できない場合があった。本発明はこのような問題を解決するためになされたもので、その目的とするところは、前面開口の開き扉が付いた貯蔵室を備えたショーケース等の搬送時における、前記開き扉の固定を簡易に行えるとともに低価格で製作できる扉用固定部材を提供することである。
【課題を解決するための手段】
【０００５】
上記の目的を達成するために、請求項１の発明は、開き扉を備えた機器の搬送時における前記開き扉の垂れ下りを防止する扉用固定部材であって、前記扉用固定部材は閉鎖時の前記開き扉に直接または間接に接して開き扉の自重を支持する扉支持部と、前記扉支持部が下部側に固定される中間部と、前記中間部の上部側に固定される機器側支持部とで形成されており、前記機器側支持部は開き扉が取付く機器本体の一部面に直接または間接に接し、前記中間部を介して開き扉の自重を支持することを特徴とする。
【０００６】
また、請求項２の発明は、請求項１の発明において、前記扉支持部と前記機器側支持部はそれぞれ一対備えていることを特徴とする。
【０００７】
また、請求項３の発明は、請求項１に記載の発明において、前記扉支持部、前記中間部、前記機器側支持部は、それぞれ一対備えているとともに、前記一対の中間部の一端側同士が結合して断面Ｌ字形状で形成されていることを特徴とする。
【０００８】
また、請求項４の発明は、請求項３に記載の発明において、前記一対の中間部は、前記一対の中間部の一端側同士が結合した結合部を中心として折畳み可能であることを特徴とする
【０００９】
また、請求項５の発明は、請求項２から請求項４のいずれか１項に記載に記載の発明において、前記一対備えている扉支持部のそれぞれの支持面は同じ高さであり、および／または、前記一対備えている機器側支持部のそれぞれの支持面は同じ高さであることを特徴とする。
【００１０】
また、請求項６の発明は、請求項１から請求項５のいずれか１項に記載の発明において、前記中間部には、前記開き扉に設けられた取手との干渉を防止するための切欠きまたは穴が設けられていることを特徴とする。
【００１１】
また、請求項７の発明は、請求項１から請求項６のいずれか１項に記載の発明において、前記扉用固定部材は硬質紙で形成されていることを特徴とする。
【発明の効果】
【００１２】
請求項１の発明によれば、開き扉を備えた機器の搬送時における前記開き扉の垂れ下りを防止する扉用固定部材が、閉鎖時の前記開き扉に直接または間接に接して開き扉の自重を支持する扉支持部と、前記扉支持部が下部側に固定される中間部と、前記中間部の上部側に固定される機器側支持部とで形成されており、前記機器側支持部は開き扉が取付く機器本体の一部面に直接または間接に接し、前記中間部を介して開き扉の自重を支持するため、簡易かつ低価格な手段で開き扉の固定ができるとともに、開き扉の下端の直下に下枠が配設されていない等の場合でも、搬送時における開き扉の垂れ下りを防止できるという利点がある。
【００１３】
また、請求項２の発明によれば、前記扉支持部と前記機器側支持部はそれぞれ一対備えていることから、一対の扉支持部と機器側支持部とで開閉扉および機器本体に接して支持されるため、安定して開き扉を機器本体に固定できるとともに、開き扉が観音開きの両開き扉である場合には、一対の扉支持部のうち一方で一方の開き扉の戸先部を、一対の扉支持部のうち他方で他方の開き扉の戸先部を支持することにより、２枚の扉を一個の扉用固定部材で固定することができる利点がある。
【００１４】
また、請求項３の発明によれば、前記扉支持部、前記中間部、前記機器側支持部は、それぞれ一対備えているとともに、前記一対の中間部の一端側同士が結合して断面Ｌ字形状で形成されていることから、より安定して開き扉を機器本体に固定できるとともに、市販に流通する断面Ｌ字形状の部材を使用して安価に製作できるという利点がある。
【００１５】
また、請求項４の発明によれば、前記一対の中間部は、前記一対の中間部の一端側同士が結合した結合部を中心として折畳み可能であることから、扉用固定部材を使用してないときは折畳むことによって収容スペースをとらずに保管ができるという利点がある。
【００１６】
また、請求項５の発明によれば、前記一対備えている扉支持部のそれぞれの支持面は同じ高さであり、および／または、前記一対備えている機器側支持部のそれぞれの支持面は同じ高さであることから、より安定して開き扉を機器本体に固定できる利点がある。
【００１７】
また、請求項６の発明によれば、前記中間部には、前記開き扉に設けられた取手との干渉を防止するための切欠きまたは穴が設けられていることから、開き扉に取手が設けられている場合でも、取手に干渉せずに容易に取付けできる利点がある。
【００１８】
また、請求項７の発明によれば、前記扉用固定部材は硬質紙で形成されていることから、安価で製作できるとともに、扉用固定部材を廃棄する場合において処理が容易であるという利点がある。
【発明を実施するための最良の形態】
【００１９】
次に、図面において本発明の実施例を説明する。図１は本実施例である扉用固定金具が取付けられたショーケースの斜視図、図２は本実施例の斜視図、図３は本実施例である扉用固定金具が取付けられたショーケースの一部の側面図をそれぞれ示している。
【００２０】
図１において、ショーケース１は、前面が開口した上部貯蔵室３を上段に配設し、上面が開口した下部貯蔵室８を下段に配設した上下２段の貯蔵室からなる機器本体２で形成されている。上部貯蔵室３の前面開口は開き扉４で開閉可能に蓋われており、下部貯蔵室８の上面開口は引戸９で開閉可能に蓋われている。下部貯蔵室９の下側には図示しない機械室が配設されており、機械室には冷凍回路を構成する図示しない圧縮機、凝縮器、膨張手段であるキャピラリーチューブが収容されている。上部貯蔵室３の背面側には図示しない空気通風路が形成されており、空気通風路には同じく冷凍回路を構成する図示しない蒸発器が収容されて、上部貯蔵室３へ冷気を供給して上部貯蔵室３に収納される商品を冷却している。一方、下部貯蔵室８においては、下部貯蔵室８を構成する図示しない断熱壁の内部側に埋めこまれた蒸発器により、下部貯蔵室８に収納される商品を冷却している。尚、各貯蔵室の冷却方法については本実施例に限定される必要はなく他の冷却方法であてっも構わない。
【００２１】
上部貯蔵室３の開口を蓋う開き扉４にはガラスが嵌め込まれており、開口左側に配設した観音開きの２枚開き扉５と開口右側に配設した右側吊元の片開き扉６の計３枚の扉で構成されており、各扉の吊元側縦枠は図示しない周知の手段である丁番またはヒンジによって本体機器側の縦枠に揺動可能に支持されており、また、各扉の戸先側縦枠には略中央の高さに開き扉開閉用の取手７が配設されている。下部貯蔵室８の上面開口にはガラスが嵌め込まれた２枚の引戸９が配設されている。開き扉４、引戸９はそれぞれ常時は閉鎖しており各開口を蓋って、各貯蔵室に収納されている商品が外から見えるようなっている。上部貯蔵室３の開き扉４の下部面直下にはスペース１１があり、スペース１１の直下には引戸９のガラスが配置されている。従って、開き扉４の下部面直下には一般の開き扉にあるような下枠は存在していない。
【００２２】
本体機器２の上面は、上部貯蔵室３の開口上方に位置して開き扉４の上部面と同じ高さ位置にある天井面１０（請求項１における、開き扉が取付く機器本体の一部面に該当する。）で形成されている。尚、本実施例では天井面１０は開き扉５の上部面と同じ高さ位置にあるが、天井面１０は開き扉５の上部面より高い位置か、あるいは、開き扉５の上部面より低い位置に配置されていても構わない。
【００２３】
本発明である扉用固定部材２０は図２に示すように、一対の同一形状からなる略コの字状に形成された平面板状部材の一端側同士を結合して、横断面がＬ字形状になるように形成されている。同一形状からなる略コの字状に形成された各平面板状部材は、それぞれ、開き扉４の下部面に接して開き扉４の自重を支持する上端面２１ａ（請求項５における、支持面に該当する。）が上縁に形成された扉支持部２１と、扉支持部２１が固定される長尺であって矩形状平面板の中間部２３と、中間部２３に固定されており、本体機器２の天井面１０に接して開き扉４の自重を支持する下端面２２ａ（請求項５における、支持面に該当する。）が下縁に形成された機器側支持部２２とで形成されている。それぞれの中間部２３同士は、それぞれの一端側２３ａが結合して、横断面がＬ字形状になるように形成されている。
【００２４】
そして、扉支持部２１は中間部２３の他端側２３ｂであって下部に固定され、また、機器側支持部２２は中間部２３の他端側２３ｂであって上部に固定されている。中間部２３の高さ方向中央付近であって他端側２３ｂには、扉用固定部材２０を機器本体２に取付けた時に開き扉４の取手７が中間部２３に干渉しないように切欠き２４が形成されている。切欠き２４の高さ位置は、扉用固定部材２０を機器本体２に取付けた時に開き扉４の取手７が中間部２３に干渉しない位置であれば中央である必要はない。また、取手との干渉が防止できれば切欠き２４ではなく中間部２３に穴が配設されていても構わない。
【００２５】
本実施例においては、一対の中間部２３同士の結合部２３ｃは固定されて折畳み不可能であるが、一対の中間部２３同士が揺動して折畳み可能に結合されていても構わない。折畳み可能に結合されていれば、扉用固定部材２０を複数保管する上でスペースをとらずに済むとういう効果がある。折畳み可能な結合手段は周知の技術であるヒンジ構造であったり、中間部２３の結合部２３ｃが塑性変形可能な材料で形成されて折畳み可能な構造であっても構わない。
【００２６】
扉支持部２１の上端面２１ａから機器側支持部２２の下端面２２ａまでの寸法は、機器本体２の天井面１０から開き扉４の下部面までの寸法より若干短いか、もしくは同等であるが、扉固定用部材２０自身が撓むことによって、扉支持部２１の上端面２１ａから機器側支持部２２の下端面２２ａまでの寸法は、機器本体２の天井面１０から開き扉４の下部面までの寸法よりも若干長くなる。一対の扉支持部２１の上端面２１ａ同士は同じ高さ、すなわち同一水平面内にある。また、一対の機器側支持部２２の下端面２２ａ同士も同じ高さ、すなわち同一水平面内にある。
【００２７】
次に図１、３において、扉用固定部材２０を用いての開き扉４の固定方法について説明する。観音開きの２枚開き扉５の扉固定方法は、２枚開き扉５の召し合せ位置（閉鎖時における左右の扉の戸先位置）に一つ扉用固定部材２０を配置し、一対の扉支持部２１のうち、一方の扉支持部２１の上端面２１ａを右側の開き扉の戸先下部面に接するように、他方の扉支持部２１の上端面２１ａを左側の開き扉の戸先下部面に接するように、また、一対の機器側支持部２２のそれぞれ下端面２２ａを本体機器２の天井面１０に接するように、扉用固定部材２０を２枚開き扉５の前側から差し込むかたちで固定する。
【００２８】
このように扉固定部材２０で開き扉４を固定することにより、開き扉４の戸先にかかる下方への荷重は扉支持部２１で支持され、その荷重は中間部２３を介して機器側支持部２２によって支持されることから、簡易な手段で開き扉４の垂れ下りを防止することができる。
【００２９】
片開き扉６の扉固定方法は、片開き扉６の戸先位置に一つ扉用固定部材２０を配置し、一対の扉支持部２１の各上端面２１ａを片開き扉６の戸先下部面に接するように、一対の機器側支持部２２の各下端面２２ａを本体機器２の天井面１０に接するように、扉用固定部材２０を片開き扉６の前側から差し込むかたちで配設する。
【００３０】
本実施例では、一つ扉用固定部材２０には一対の扉支持部２１があるため、観音開きの２枚開き扉５を固定する場合でも一つの扉用固定部材２０だけで足り、また、一つ扉用固定部材２０に一対の機器側支持部２２があることから天井面１０を２個所で支持できるので、扉用固定部材２０の配設が安定する。片開き扉６を固定する場合でも同様に、一つ扉用固定部材２０に一対の扉支持部２１と機器側支持部２２があることから、扉用固定部材２０の配設が安定する。また、扉支持部２１、中間部２３、機器側支持部２２は、それぞれ一対備えているとともに、一対の中間部２３の一端側同士が結合して断面Ｌ字形状で形成されていることから、市販に流通する断面Ｌ字形状の部材を使用して安価に製作できる。
【００３１】
尚、本実施例では、扉支持部２１の上端面２１ａを開き扉４の下部面に直接に接して、また、機器側支持部２２の下端面２２ａを機器側本体２の天井面１０に直接に接して、扉用固定部材２０が開き扉４の自重を支持しているが、扉支持部２１の上端面２１ａと開き扉４の下部面との間に、また、機器側支持部２２の下端面２２ａと機器側本体２の天井面１０との間にスペーサを挿入して、スペーサを介して扉用固定部材２０が開き扉４の自重を支持しても構わない。この場合は、一対の扉支持部２１の上端面２１ａ同士、一対の機器側支持部２２の下端面２２ａ同士は、それぞれが同じ高さにない場合であってもスペーサで調整することができる。
【００３２】
また、扉用固定部材２０は硬質紙で形成されていることが望ましい。硬質紙で形成されていれば、開き扉４の戸先が搬送時の衝撃や振動などで垂れ下がることを十分防止できるとともに、安価で製作でき、さらに、扉用固定部材２０を廃棄する場合において処理が容易であるという利点がある。
【００３３】
また、本実施例では、扉用固定部材２０は一対の中間部２３で構成され、一対の中間部２３のそれぞれに扉支持部２１と機器側支持部２２とが固定された態様であるが、他の態様として、中間部２３は一つで構成され、一つの中間部２３に一対の扉支持部２１と一対の機器側支持部２２とが固定された態様であっても構わない。また、一つの中間部２３に一つの扉支持部２１と一つの機器側支持部２２とが固定された態様であっても構わない。また、本実施例では、上部に前面開口で開き扉が付いた貯蔵室を備え、下部に上面開口で引戸が付いた貯蔵室を備えた上下二段のショーケースの搬送時における、開き扉の垂れ下りの防止を目的としているが、開き扉は本実施例のショーケースに限定される必要はなく、他のショーケースや機器に取付く開き扉の搬送時における、開き扉の垂れ下りの防止を目的としていても構わない。
【図面の簡単な説明】
【００３４】
【図１】本実施例である扉用固定部材が取付けられたショーケースの斜視図である。
【図２】本実施例である扉用固定部材の斜視図である。
【図３】実施例である扉用固定部材が取付けられたショーケースの一部の側面図である。
【符号の説明】
【００３５】
２    機器本体
４    開き扉
１０    天井面（一部面）
２０    扉用固定部材
２１    扉支持部
２２    機器側支持部
２３    中間部
【図１】
2010100318.tif 000003
【図２】
2010100318.tif 000004
【図３】
2010100318.tif 000005